(57)【特許請求の範囲】
【請求項１】
篭形ベースに対向配置された１対の回転支持部の間に回転ベースが差し渡されて両端部を回転可能に支持されると共に、前記回転ベースの一側面から突出しかつ回転可能に支持された回転ヘッドの側部に水噴出部が備えられ、一方の前記回転支持部に設けられた洗浄水供給口から前記回転ベースに洗浄水が供給されると、前記水噴出部から洗浄水が噴出して前記回転ヘッドが前記回転ベースに対して回転しかつ前記回転ベースが前記篭形ベースに対して回転する散水洗浄機に洗浄水を送給するための洗浄水送供給ツールであって、
先端部を前記洗浄水供給口に接続されると共に途中で屈曲して、前記回転ベースの回転軸が略水平に配置された状態で上方に延びる洗浄水送供給ツールにおいて、
前記洗浄水供給口に接続されかつ軟質部材で構成されたホースと、
前記軟質部材より硬い硬質部材で構成されたパイプ構造をなして前記ホースの外側に挿通され、前記水噴出部から噴出される洗浄水の衝突を受けて前記ホースを前記洗浄水の衝突から保護するカバー用パイプとを備えてなり、
前記カバー用パイプは、前記散水洗浄機に固定されて略水平に延びる第１パイプと、上下方向に延びる第２パイプとをヒンジ結合してなる洗浄水送供給ツール。
【請求項２】
前記第２パイプから側方に張り出し、洗浄対象部屋の上面壁に形成されている貫通孔を閉塞する蓋部を備えた請求項１に記載の洗浄水送供給ツール。
【請求項３】
前記第２パイプから側方に張り出し、前記散水洗浄機を旋回操作するための旋回操作部が備えられている請求項１又は２に記載の洗浄水送供給ツール。
【請求項４】
請求項１乃至３の何れか１の請求項に記載の洗浄水送供給ツールと、前記散水洗浄機とからなる散水洗浄装置。
【請求項５】
塗装ブースの床下に設けられて、上方を上面壁によって覆われると共に、その上面壁に形成されている複数の貫通孔からエアーと共に未塗着塗料を取り込む塗料回収路を洗浄する洗浄方法であって、
請求項４に記載の前記散水洗浄機を前記塗料回収路の底面上に寝かせて前記貫通孔に前記洗浄水送供給ツールを挿通し、その洗浄水送供給ツールを通して前記散水洗浄機に洗浄水を供給して前記塗料回収路を洗浄する塗料回収路の洗浄方法。
【発明の詳細な説明】
【技術分野】
【０００１】
本発明は、３次元の略全方位に向けて洗浄水を噴出可能な散水洗浄機に洗浄水を送給するための洗浄水送供給ツール及び、その洗浄水送供給ツールと散水洗浄機とを備えてなる散水洗浄装置及び、その散水洗浄装置を使用した塗料回収路の洗浄方法に関する。
【背景技術】
【０００２】
一般に、塗装ブースの床下には、上方を上面壁によって覆われると共に、その上面壁に形成されている複数の貫通孔からエアーと共に未塗着塗料を取り込む塗料回収路が設けられていることが知られている（例えば、特許文献１参照）。
【先行技術文献】
【特許文献】
【０００３】
【特許文献１】特開２０１４−３６９４３号公報(図１）
【発明の概要】
【発明が解決しようとする課題】
【０００４】
しかしながら、従来は、例えば、ブースアンダーセクションと呼ばれる塗料回収路内を洗浄する場合には、内部に作業者が入り込んで清掃を行うという困難な作業を強いられるという問題があった。
【０００５】
本発明は、上記事情に鑑みてなされたもので、塗料回収路を容易に洗浄することが可能な洗浄水送供給ツール、散水洗浄装置及び塗料回収路の洗浄方法の提供を目的とする。
【課題を解決するための手段】
【０００６】
上記目的を達成するためになされた請求項１の発明は、篭形ベースに対向配置された１対の回転支持部の間に回転ベースが差し渡されて両端部を回転可能に支持されると共に、前記回転ベースの一側面から突出しかつ回転可能に支持された回転ヘッドの側部に水噴出部が備えられ、一方の前記回転支持部に設けられた洗浄水供給口から前記回転ベースに洗浄水が供給されると、前記水噴出部から洗浄水が噴出して前記回転ヘッドが前記回転ベースに対して回転しかつ前記回転ベースが前記篭形ベースに対して回転する散水洗浄機に洗浄水を送給するための洗浄水送供給ツールであって、先端部を前記洗浄水供給口に接続されると共に途中で屈曲して、前記回転ベースの回転軸が略水平に配置された状態で上方に延びる洗浄水送供給ツールにおいて、前記洗浄水供給口に接続されかつ軟質部材で構成されたホースと、前記軟質部材より硬い硬質部材で構成されたパイプ構造をなして前記ホースの外側に挿通され、前記水噴出部から噴出される洗浄水の衝突を受けて前記ホースを前記洗浄水の衝突から保護するカバー用パイプとを備えてなり、前記カバー用パイプは、前記散水洗浄機に固定されて略水平に延びる第１パイプと、上下方向に延びる第２パイプとをヒンジ結合してなる洗浄水送供給ツールである。
【０００７】
請求項２の発明は、前記第２パイプ直線部から側方に張り出し、洗浄対象部屋の上面壁に形成されている貫通孔を閉塞する蓋部を備えた請求項１に記載の洗浄水送供給ツールである。
【００１１】
請求項３の発明は、前記第２パイプから側方に張り出し、前記散水洗浄機を旋回操作するための旋回操作部が備えられている請求項１又は２に記載の洗浄水送供給ツールである。
【００１２】
請求項４の発明は、請求項１乃至３の何れか１の請求項に記載の洗浄水送供給ツールと、前記散水洗浄機とからなる散水洗浄装置である。
【００１３】
請求項５の発明は、塗装ブースの床下に設けられて、上方を上面壁によって覆われると共に、その上面壁に形成されている複数の貫通孔からエアーと共に未塗着塗料を取り込む塗料回収路を洗浄する洗浄方法であって、請求項４に記載の前記散水洗浄機を前記塗料回収路の底面上に寝かせて前記貫通孔に前記洗浄水送供給ツールを挿通し、その洗浄水送供給ツールを通して前記散水洗浄機に洗浄水を供給して前記塗料回収路を洗浄する塗料回収路の洗浄方法である。
【発明の効果】
【００１４】
請求項１及び４の洗浄水送供給ツール及び散水洗浄装置を使用して、塗料回収路の上面壁の貫通孔から散水洗浄機を内部に挿入して塗料回収路の底面上に載置し、上面壁の貫通孔に挿通されている洗浄水送供給ツールを通して散水洗浄機に洗浄水を送給すると、散水洗浄機から３次元の略全方位に向けて洗浄水が噴出されて塗料回収路の内部が洗浄される。これにより、作業者が塗料回収路に入り込まずに塗料回収路を容易に洗浄することができる。また、洗浄時に散水洗浄機からの洗浄水が洗浄水送供給ツールに衝突しても、洗浄水送供給ツールのうち洗浄水の衝突を受ける部位は、硬質部材で構成されているか又は硬質部材で覆われているので破損が防がれる。
また、本開示の洗浄水送給ツールでは、散水洗浄機に接続されかつ軟質部材で構成されたホースの外側に硬質部材で構成されたカバー用パイプを挿通し、そのカバー用パイプを、散水洗浄機に固定されて略水平に延びる第１パイプと、上下方向に延びる第２パイプとをヒンジ結合した構造としたので、洗浄対象部屋への散水洗浄機の出し入れを容易に行うことができる。
【００１５】
請求項２の洗浄水送供給ツールは、洗浄対象部屋の上面壁の貫通孔を閉塞するための蓋部を備えているので、貫通孔から洗浄水が外側に漏れることを防ぐことができる。
【００１７】
請求項３の洗浄水送供給ツールによれば、旋回操作部を操作して、塗料回収路の外部から散水洗浄機の位置を容易に変更することができる。
【００１８】
請求項５の塗料回収路の洗浄方法によれば、作業者が塗料回収路に入り込まずに塗料回収路を容易に洗浄することができる。
【図面の簡単な説明】
【００１９】
【図１】本発明の第１実施形態の散水洗浄装置の斜視図
【図２】散水洗浄装置の側面図
【図３】塗装ブースの断面図
【図４】第２実施形態の散水洗浄装置の斜視図
【図５】第３実施形態の散水洗浄装置の斜視図
【発明を実施するための形態】
【００２０】
［第１実施形態］
以下、本発明の第１実施形態を図１〜図３に基づいて説明する。図１には、本発明に係る散水洗浄装置３０が示されている。この散水洗浄装置３０は、散水洗浄機３１と洗浄水送供給ツール４０とからなる。散水洗浄機３１は、篭形ベース３２に対向配置された１対の回転支持部３３Ａ，３３Ｂの間に回転ベース３４を回転可能に支持しかつ、その回転ベース３４の一側面から回転ヘッド３５を突出させて回転可能に支持した構造になっている。また、回転ヘッド３５の側部には１対の水噴出部３６，３６が点対称に備えられ、各水噴出部３６は回転ヘッド３５から側方に突出しかつ先端部が直角に曲がって回転ヘッド３５の回転の周速方向に先端開口が向いている。また、回転ベース３４の内部では、回転ヘッド３５と一体に回転する図示しない第１ギヤと、篭形ベース３２の一方の回転支持部３３Ｂに固定された図示しないシャフトに取り付けられた第２ギヤとが噛合している。そして、他方の回転支持部３３Ａに備えた洗浄水供給口３３Ｃに高圧の洗浄水が供給されると、水噴出部３６から洗浄水が噴出することで、回転ヘッド３５が回転ベース３４に対して一方向に回転して第１ギヤが第２ギヤに沿って転動し、回転ベース３４が篭形ベース３２に対して一方向に回転する。これにより、３次元の全方位に洗浄水が散水される。
【００２１】
また、図２に示すように、洗浄水供給口３３Ｃを有する側の回転支持部３３Ａには、外面にテーパー螺子を有する結合筒部３３Ｄが備えられ、その結合筒部３３Ｄには、先端から基端寄り位置まで延びたスリットが複数形成されている。そして、その結合筒部３３Ｄの外側にテーパーナット３３Ｎを締め付けることで結合筒部３３Ｄが窄まるようになっている。
【００２２】
図３に示すように、洗浄水送供給ツール４０は、ツール本体４５と蓋部４６とからなる。ツール本体４５は、例えば、上下方向に延びる金属パイプの下端寄り位置を直角に屈曲させて下端水平部４１を備えかつ、その金属パイプの上端寄り位置を下端水平部４１とは逆向きに直角に屈曲させて上端水平部４２を備えた構造をなしている。また、下端水平部４１と上端水平部４２との間で上下方向に延びる直線部４３の長さは、例えば、１〜３［ｍ］になっている。
【００２３】
また、図２に示すように、蓋部４６は、金属製の円板４７の中心部に貫通孔（図示せず）を形成して、その開口縁から円筒部４８を起立させた構造をなしている。また、蓋部４６は、円板４７及び円筒部４８の中心を含む切断面で２分割され、円筒部４８の切断縁部から側方に張り出したフランジ部４８Ｆ，４８Ｆが重ねられてボルトＢとナットＮで固定されている。そして、円筒部４８の内側にツール本体４５の直線部４３が挿通され、前述のボルトＢとナットＮの締め付けにより蓋部４６が直線部４３における任意の位置に固定される。
【００２４】
洗浄水送供給ツール４０の下端側の先端（即ち、下端水平部４１の先端）は、散水洗浄機３１の結合筒部３３Ｄの内側に挿入され、その状態でテーパーナット３３Ｎが締め付けられて洗浄水送供給ツール４０が散水洗浄機３１に固定されている。また、洗浄水送供給ツール４０の上端側の先端（即ち、上端水平部４２の先端）には、軟質部材で構成されたホース３９がボールバルブ３８を介して接続されている。そして、図示しないポンプから吐出される高圧の洗浄水が、ホース３９、ボールバルブ３８、洗浄水送供給ツール４０を通って散水洗浄機３１に供給される。
【００２５】
図３には、上記した散水洗浄装置３０により洗浄される塗料回収路１６（所謂、ブースアンダーセクション）が示されている。この塗料回収路１６は、塗装ブース１０の床下に設けられている。その塗装ブース１０は、図３の紙面と直交する方向に延び、その床部の幅方向の中央には、塗装対象ワークＷを搬送するための搬送レール１４Ｒが設けられている。そして、搬送レール１４Ｒ上を移動する搬送台車１４に保持された塗装対象ワークＷに対し、塗装ブース１０の両側部に取り付けられた塗装ロボット１５の塗装ガン２０から霧状の塗料を吹き付けられて塗装が行われる。
【００２６】
その際、未塗着となった塗料を回収するために、塗装ブース１０内には、下向きにエアーが流され、そのエアーと共に未塗着の塗料が床下に吸引される。具体的には、塗装ブース１０の天井板１１はメッシュ構造をなしかつ天井裏１１Ａが加圧状態にされて、天井板１１全体からエアーが流下されている。また、塗装ブース１０の床部は、スノコ板１２で構成され、スノコ板１２の下方には、床下を上下の２部屋に分割する区画壁１３（本発明の「上面壁」に相当する）が備えられ、その区画壁１３の下側が塗料回収路１６になっている。また、その区画壁１３には複数の貫通孔１３Ａが形成され、各貫通孔１３Ａの開口縁から上方に環状突起１３Ｔが突出している。さらに、塗料回収路１６には吸引ダクト１７が接続されている。そして、区画壁１３上に水が張られた状態で塗料回収路１６全体が負圧状態にされて、貫通孔１３Ａを通してエアーと共に未塗着の塗料が塗料回収路１６に取り込まれ、吸引ダクト１７に吸引される。また、スノコ板１２は、架台１２Ａ上に複数載置されていて、任意のスノコ板１２を取り外して床下に作業者が潜れるようになっている。
【００２７】
散水洗浄装置３０を使用した塗料回収路１６の洗浄は、以下のようにして行われる。吸引ダクト１７に繋がるコンプレッサを停止して塗料回収路１６内を大気圧にする。また、区画壁１３上の水は排除しておく。そして、所定のスノコ板１２を外して作業者が床下に入り、洗浄水送供給ツール４０を斜めにして散水洗浄機３１を先端から区画壁１３の貫通孔１３Ａに挿入し、洗浄水送供給ツール４０を垂直に起こして、塗料回収路１６の底面上に散水洗浄機３１を載置する。また、蓋部４６を洗浄水送供給ツール４０に沿って下げて貫通孔１３Ａを閉塞する。
【００２８】
この状態で作業者がスノコ板１２上に移動し、ボールバルブ３８のレバー３８Ｒ（図２参照）を操作してボールバルブ３８を開弁して散水洗浄機３１へと高圧の洗浄水を供給する。すると、散水洗浄機３１の水噴出部３６から洗浄水が噴出して回転ヘッド３５が回転ベース３４に対して一方向に回転し、回転ベース３４が篭形ベース３２に対して一方向に回転する。これにより、３次元の全方位に洗浄水が散水されて塗料回収路１６内が洗浄される。
【００２９】
このとき、散水洗浄機３１からの高圧の洗浄水が洗浄水送供給ツール４０に衝突するが、洗浄水送供給ツール４０は硬質部材である金属パイプによって構成されているので破損が防がれる。また、貫通孔１３Ａは蓋部４６によって閉塞されているので、洗浄水が貫通孔１３Ａから外に漏れることが防がれる。さらに、作業者は、適宜、上端水平部４２を操作して散水洗浄機３１を旋回させることができる。これにより、塗料回収路１６内を一度に広範囲に亘って洗浄することができる。また、洗浄が終了したらボールバルブ３８を閉弁して貫通孔１３Ａから散水洗浄機３１を取り出し、別の貫通孔１３Ａに散水洗浄機３１を挿入して同様の処理を行う。これにより、塗料回収路１６内全体を洗浄することができる。
【００３０】
上記したように本実施形態の洗浄水送供給ツール４０及び散水洗浄装置３０及び塗料回収路１６の洗浄方法によれば、作業者が塗料回収路１６に入り込まずに塗料回収路１６を容易に洗浄することができる。なお、上端水平部４２の旋回操作により散水洗浄機３１を容易に移動できるようにするために、散水洗浄機３１の旋回の周速方向に延びるソリを篭形ベース３２の下部に取り付けたり、散水洗浄機３１の旋回の周速方向に転動するローラーを篭形ベース３２の下部に回転可能に取り付けてもよい。
【００３１】
［第２実施形態］
本実施形態の散水洗浄装置３０Ｖは、図４に示されており、洗浄水送供給ツール４０Ｖが、ホース５０の外側に金属製のカバー用パイプ５１を挿通した構造をなしている。そのホース５０は、例えば、軟質部材としてのポリエステルにメッシュ状の補強繊維を埋設した構造をなし、そのホース５０の先端部は、公知なホース連結構造によって散水洗浄機３１の回転支持部３３Ａに連結されている。その他の構成に関しては、第１実施形態と同じであるので重複した説明は省略する。この散水洗浄装置３０Ｖによれば、散水洗浄機３１をカバー用パイプ５１の同軸上に配置して貫通孔１３Ａに容易に挿抜することができ、散水洗浄装置３０Ｖの設置及び撤去作業を容易に行うことができる。
【００３２】
［第３実施形態］
本実施形態の散水洗浄装置３０Ｗは、図５に示されており、洗浄水送供給ツール４０Ｗのカバー用パイプ５２が、散水洗浄機３１に固定されて略水平に延びる第１パイプ５３と、上下方向に延びる第２パイプ５４とを回動可能にヒンジ結合した構造になっている。詳細には、第１パイプ５３から延設された１対のヒンジアーム５３Ａ，５３Ａの先端部と、第２パイプ５４から延設された１対のヒンジアーム５４Ａ，５４Ａの先端部とが、ヒンジピン５７にて連結された構造になっている。そして、第２実施形態と同様に散水洗浄機３１の回転支持部３３Ａの連結されたホース５０がカバー用パイプ５２の内側に通されている。また、第２パイプ５４の上端部から側方に旋回操作部５５が張り出している。このような構造にすることで、洗浄対象部屋への散水洗浄機３１の出し入れを容易に行うことができると共に、旋回操作部５５を操作して塗料回収路１６の外部から散水洗浄機３１を旋回させることができる。
【００３３】
［他の実施形態］
本発明は、前記実施形態に限定されるものではなく、上記以外にも要旨を逸脱しない範囲内で種々変更して実施することができる。
【符号の説明】
【００３４】
１０    塗装ブース
１３    区画壁（上面壁）
１３Ａ  貫通孔
１６    塗料回収路
２０    塗装ガン
３０，３０Ｖ，３０Ｗ    散水洗浄装置
３１    散水洗浄機
３２    篭形ベース
３３Ａ，３３Ｂ    回転支持部
３３Ｃ    洗浄水供給口
３４    回転ベース
３５    回転ヘッド
３６    水噴出部
４０，４０Ｖ，４０Ｗ    洗浄水送供給ツール
４３    直線部
４５    ツール本体
４６    蓋部
５０    ホース
５１，５２    カバー用パイプ
５３    第１パイプ
５４    第２パイプ
５５    旋回操作部
【図１】
0006741451.tif 000002
【図２】
0006741451.tif 000003
【図３】
0006741451.tif 000004
【図４】
0006741451.tif 000005
【図５】
0006741451.tif 000006